Podtech/llm-jp-corpus-v4-ja_patent huggingface dataset:
(57)【要約】【課題】本発明は、エンコーダカバーと外部カバーの各引出し口を互いに異なる回転角度位置に設け、外部からの塵等の侵入を防止することを目的とする。【解決手段】本発明によるエンコーダ防塵構造は、エンコーダカバー(4)と外部カバー(10)に形成した第１、第２引出し口(11,12)を互いに異なる回転角度位置に設けることにより、防塵を行い、透明体の外部カバー(10)によって塵の侵入状態を見ることができる構成である。【選択図】図１
2008039638.tif 000002
【特許請求の範囲】
【請求項１】
エンコーダ検出部(5)を内蔵したエンコーダカバー(4)と、前記エンコーダカバー(4)を覆うと共に前記エンコーダカバー(4)よりも大径のカップ型をなす外部カバー(10)と、前記エンコーダカバー(4)から導出されたエンコーダケーブル(13)と、からなり、
前記エンコーダカバー(4)に形成され前記エンコーダケーブル(13)を引出す第１引出し口(11)と、前記エンコーダカバー(4)から引出された前記エンコーダケーブル(13)を前記外部カバー(10)を貫通して外部に引出すための第２引出し口(12)とを備え、
前記第１、第２引出し口(11,12)は、互いに異なる回転角度位置に設けられていることを特徴とするエンコーダ防塵構造。
【請求項２】
前記外部カバー(10)は、透明体よりなることを特徴とする請求項１記載のエンコーダ防塵構造。
【発明の詳細な説明】
【技術分野】
【０００１】
本発明は、エンコーダ防塵構造に関し、特に、エンコーダカバーの第１引出し口と外部カバーの第２引出し口とを互いに異なる回転角度位置に設けることにより、外部からエンコーダカバー内に塵等が入り込まないようにするための新規な改良に関する。
【背景技術】
【０００２】
従来、用いられていたこの種のモータエンコーダに用いられていたエンコーダの構成としては、例えば、特許文献１及び２に開示されているように、エンコーダカバーから引出されたエンコーダケーブルは、そのまま、外部に引出されるか、又は、文献は示していないが、外部カバーを二重に設けることもあった。
【０００３】
【特許文献１】特開昭６２−２７８４０８号公報
【特許文献２】米国特許第５９１２５４１号公報
【発明の開示】
【発明が解決しようとする課題】
【０００４】
従来のエンコーダは、以上のように構成されていたため、次のような課題が存在していた。
すなわち、エンコーダのエンコーダカバーから引出されたエンコーダケーブルは、そのまま、モータドライバに接続されていたため、このエンコーダカバーの引出し口から塵等が入りやすく、故障等の原因となることもあった。
また、エンコーダカバーの外側に外部カバーが設けられている場合でも、エンコーダケーブルを外部に引出す引出し口は、エンコーダカバーと同じ回転角度位置に設けられているため、外部からの塵等が各引出し口を経てエンコーダ内に入りやすい構造であった。
【課題を解決するための手段】
【０００５】
本発明によるエンコーダ防塵構造は、エンコーダ検出部を内蔵したエンコーダカバーと、前記エンコーダカバーを覆うと共に前記エンコーダカバーよりも大径のカップ型をなす外部カバーと、前記エンコーダカバーから導出されたエンコーダケーブルと、からなり、前記エンコーダカバーに形成され前記エンコーダケーブルを引出す第１引出し口と、前記エンコーダカバーから引出された前記エンコーダケーブルを前記外部カバーを貫通して外部に引出すための第２引出し口とを備え、前記第１、第２引出し口は、互いに異なる回転角度位置に設けられている構成である。
【発明の効果】
【０００６】
本発明によるエンコーダ防塵構造は、以上のように構成されているため、次のような効果を得ることができる。
すなわち、エンコーダカバーと外部カバーの各引出し口が互いに異なる回転角度位置に形成されているため、各引出し口を貫通して外部に引出されるエンコーダケーブルは曲折することになり、外部カバーの引出し口から入る塵等は異なる回転角度に位置するエンコーダカバーの引出し口からは入りにくく、エンコーダカバー内のエンコーダ検出部内への塵等の侵入を効果的に防止できる。また、外部カバーが透明体であるため、外部から内部の塵の状態を見ることができる。
【発明を実施するための最良の形態】
【０００７】
本発明は、エンコーダカバーの第１引出し口と外部カバーの第２引出し口とを互いに異なる回転角度位置に設けることにより、外部からエンコーダカバー内に塵等が入り込まないようにしたエンコーダ防塵構造を提供することを目的とする。
【実施例】
【０００８】
以下、図面と共に本発明によるエンコーダ防塵構造の好適な実施の形態について説明する。
図において符号１で示されるものはモータであり、このモータ１の端部には取付ばね２を介してエンコーダ３が接続されている。
前記エンコーダ３のエンコーダカバー４内には、エンコーダ検出部５及び中空状のエンコーダ軸６が設けられ、このエンコーダ軸６には前記モータ１の回転軸（図示せず）が接続されている。
【０００９】
前記エンコーダカバー４の外側には、全体形状がカップ形をなすと共に、透明体からなる外部カバー１０が設けられ、この外部カバー１０は前記モータ１を支持している装置側に固定されている。
【００１０】
前記エンコーダカバー４の周面には、貫通状の第１引出し口１１が形成され、前記外部カバー１０の周面には貫通状の第２引出し口１２が形成されている。
前記エンコーダ検出部５に接続されたエンコーダケーブル１３は、前記第１引出し口１１を貫通して引出された後に、Ｌ字形に曲折して外部カバー１０の第２引出し口１２を貫通して外部に引出されている。
【００１１】
前記エンコーダカバー４の第１引出し口１１と外部カバー１０の第２引出し口１２は、図１の裏面図に示されているように、互いに異なる回転角度位置に配設されており、図１の状態では回転角度θだけ互いにずれて位置している。
【００１２】
従って、前記第１引出し口１１から引出されたエンコーダケーブル１３は、前記エンコーダカバー４の外周と外部カバー１０の内周との間に形成された輪状空間２０内でＬ字形に曲折された後、前記第２引出し口１２を貫通して外部に引出されている。
【００１３】
前述の構成により、外部の前記エンコーダケーブル１３と第２引出し口１２との間の隙間から内部へ侵入した塵等は、エンコーダケーブル１３が曲折しているため、前記第１引出し口１１からエンコーダ検出部５側へ侵入しにくく、結果的に、エンコーダ検出部５内への塵等の侵入を防止することができる。
【図面の簡単な説明】
【００１４】
【図１】本発明によるエンコーダ防塵構造を示す裏面図である。
【図２】図１の縦断面図である。
【符号の説明】
【００１５】
１    モータ
２    取付ばね
３    エンコーダ
４    エンコーダカバー
５    エンコーダ検出部
６    エンコーダ軸
１０    外部カバー
１１    第１引出し口
１２    第２引出し口
１３    エンコーダケーブル
【図１】
2008039638.tif 000003
【図２】
2008039638.tif 000004
(57)【要約】      （修正有）【課題】室内や庭の場所で観賞できるよう、玉や中の星と呼ばれる発色剤や発煙剤等の和剤を超ミニ寸法で作り、少しの高さまで打上げて、近くで観賞できるように作った超ミニの打上花火を提供する。【解決手段】割物１自体を小さくする為、その中に入る割薬７を少なくし、取り巻く星６も小さくし、補助着火薬５も少量にし又、導火線２も細く短くすることで、１ｃｍ〜数ｃｍの割物を作ることができる。【選択図】図１
2008039369.tif 000002
【特許請求の範囲】
【発明の詳細な説明】
【０００１】室内や庭の場所で観賞できるよう、玉や中の星と呼ばれる発色剤や発煙剤等の和剤を超ミニ寸法で作り、少しの高さまで打上げて、近くで観賞できるように作った超ミニの打上花火。
【技術分野】
【０００２】この発明は、今までの打上げ花火というものは、大空上空に向け打上げて、地上から上空を見上げることで、多くの人達が観賞することができたが、少人数が室内や庭で観賞できるような超ミニの打上花火に関するものである。
【背景技術】
【０００３】現在、打ち上げ花火は、一尺玉や三尺玉等の大きな打上花火で打上げ、玉に詰められた多くの火薬を爆発させ、玉の中の星と呼ばれる発色剤や発煙剤などの和剤を四方八方に飛ばして、円構造へと描く模様（菊花型）の花火を打上げ多くの人達で観賞するように作られていたが、室内や庭等、少人数で観賞できるように超小型化された１ｍｍ玉や数ｃｍ玉等の打上花火が作られることが望まれていた。【０００４】
【非特許文献１】東海大学出版会  花火の科学  ２００２年３月  Ｐ３４  打上げ花火
【発明の開示】
【０００５】打上花火で使われる花火の導火線は細く短く、割薬も小さくそれを取り巻く星も超ミニ寸法で作ることで、玉皮全体を１ｃｍ玉から数ｃｍ玉位の大きさにし、それに応じて上げ薬や打上筒も少なく小さくした寸法に仕上げることで、今までの打上花火の数十分の１から１００分の１位の爆発規模の小さな打上花火として考えられたものである。
【発明が解決しようとする課題】
【０００６】これまでは、次のような欠点があった。
一尺玉等、又それ以上の大きさの尺玉で大空高く打上爆発することで、四方八方へと飛び、地上で多くの人が観賞することができたが、室内や庭等少人数での観賞は大きく広く飛散する為できなかったので、超ミニ寸法の打上花火を作ることで、この欠点を取り除くように考えられたものである。
【課題を解決する為の手段】
【０００７】打上花火の玉や玉に詰められる割薬を打上花火の規模に応じて少なくし、割薬を取り巻く星も超ミニ寸法に作り上げて玉を小さくすることにより、室内や庭で観賞することのできる規模の小さな打上花火にするように構成され、解決するように考えられた構造の打上花火である。
【発明の効果】
【０００８】打上花火の玉の割薬や取り巻く星を超ミニ寸法で作ることにより、玉を小さく作り上げ、少人数で観賞することのできる規模の打上花火が提供できる。
【発明の実施する為の最良の形態】
【０００９】以下、本発明の実施の形態について説明する。
打上花火には、割物や小花入割物・八重芯入物等、色々と種類がありますが、▲１▼割物事態を１ｃｍ〜数ｃｍの玉に作る為に、▲２▼導火線も細く短くし、▲４▼補助着火薬も少量にし、▲７▼割薬を少なくし取り巻く、▲６▼星も小さく作ることで、小さな小さな超ミニ割物を作り使用されるものである。
【図面の簡単な説明】
【図１】花火の割物の断面図
【符号の説明】
▲１▼割物
▲２▼導火線
▲３▼断面図
▲４▼玉皮
▲５▼補助着火薬
▲６▼星
▲７▼割薬
▲８▼紙
▲９▼上貼紙
【図１】
2008039369.tif 000003
【手続補正書】
【提出日】平成18年10月25日(2006.10.25)
【手続補正１】
【補正対象書類名】特許請求の範囲
【補正対象項目名】全文
【補正方法】変更
【補正の内容】
【特許請求の範囲】
【請求項１】
室内や庭等の場所で観察できるよう、玉や中の星と呼ばれる発色剤や発煙剤等の和剤を超ミニ寸法で作り、少しの高さまで打ち上げて、近くで鑑賞し、楽しめるように作った超ミニの打上花火。
(57)【要約】【目的】住居内（アパート、一戸建て、公営住宅、高層住宅、集合住宅、大豪邸、注文住宅、二軒1棟の家、二世帯住宅、プレハブ住宅、分譲マンション、別荘、マンション、棟続き［長屋式］の家を含む）つまり自宅にトイレ（化粧室、手洗い所、便所を含む）を設置するにより、快適に用を足すことが出来る住居システムを提供することを目的としている。【構成】住居内、にトイレを設置する事により、雨が降っても濡れない、外が寒い時でも、寒くない。また用を足す時に、音や臭いを気にすることなく、他人に知られる事なく用を足すことが可能である。 【選択図】図１
2008144395.tif 000002
【特許請求の範囲】
【請求項１】
住居内にトイレを設置する、住居システム。
【請求項２】
住居内とは、アパート、一戸建て、公営住宅、高層住宅、集合住宅、大豪邸、注文住宅、
二軒1棟の家、二世帯住宅、プレハブ住宅、分譲マンション、別荘、マンション、棟続き［長屋式］の家を含む所に
トイレを設置する、住居システム。
【請求項３】
トイレ、化粧室、手洗い所、便所等を、住居内へ設置する、住居システム。
【発明の詳細な説明】
【技術分野】
【０００１】
本発明は、住居システムに関する。
【背景技術】
【０００２】
用を足したくなった時に、寒さ、暑さ、雨、を我慢して住居を出て、外で用を足すという方法をとっている事が多い。
【特許文献１】なし
【非特許文献１】なし
【発明の開示】
【発明が解決しようとする課題】
【０００３】
住居にトイレがある事で、住居内にいる時と同じ、環境で用を足すことが出来る。
【課題を解決するための手段】
【０００４】
本発明に係る住居システムは、住居内にトイレを設置する事とする。
【発明の効果】
【０００５】
本発明に係る住居システムは、環境を奇麗にし、公衆トイレの行列も緩和される。
【０００６】
また、用を足す時の音、臭いを気にせずに、用を足すことが出来る為、ストレスが溜まらない。
【発明を実施するための最良の形態】
【０００７】
図１は本発明に係る住居システムにおける住居のイメージ図である。
【図面の簡単な説明】
【０００８】
【図１】ハンドスキャナの実施方法を示した説明図である。（実施例１）
【符号の説明】
【０００９】
１    住居
２    トイレ
【図１】
2008144395.tif 000003
(57)【要約】 【課題】  墓への納骨作業を行うとき、供物台など付属石の移動を必要とせず、納骨蓋の取外しのみにより、安全かつ容易に納骨出来る構造の墓石を提供する。【解決手段】  墓石の中台２に設けられている納骨室開口部の前面両側に当接する花立６蝋燭立て７を一体とし、その正面に同一石材にて、取外式納骨蓋８を取付け、この納骨蓋を取外しする事により、納骨作業時に重い供物台、花立、蝋燭立てを移動する必要がなく納骨を安全かつ容易に作業が出来る事を可能とした。【選択図】  図１
2008144388.tif 000002
【特許請求の範囲】
【請求項１】
墓石の下台に設けられている納骨室の開口部前面に接する部分に、花立、蝋燭立てを一体とした供物台を設置し、供物台正面に同一石材にて、取外式の納骨蓋を取付け、この納骨蓋を取外しする事が出来る墓石。
【請求項２】
花立、蝋燭立て、納骨蓋を有し、なおかつ、納骨室につながる入り口を設けた供物台を芝台の上に設ける事を特徴とした墓石。
【発明の詳細な説明】
【技術分野】
【０００１】
本発明は、納骨が簡易に行える供物台に関する。
【背景技術】
【０００２】
墓石の中に納骨する際には、納骨室入り口に設置された供物台を移動させて納骨室に納骨する。納骨後は、移動させた供物台を元の位置に戻していた。
【発明の開示】
【発明が解決しようとする課題】
【０００３】
従来の納骨作業では、供物台は、石材の為に重く、移動が困難で移動作業中に石碑の損傷、または、作業者の怪我を招く事があり、これらの危険に及ぶ可能性がある作業を解決するのが課題である。また、特開２０００−２９１２９３に記載されている片開き開閉は、物がつまったり、扉の開閉の故障をする事があり、これらを解決したのが、この申請である。
【０００４】
【特許文献１】特開２０００−２９１２９３
【発明の効果】
【０００５】
本発明によって、設けられた納骨蓋を取外しするだけで、供物台、花立、蝋燭立てを移動する必要がなくなり、納骨作業が、容易に円滑に出来て安全性を確保できる。同一石材で外観品質も落ちることなく、納骨蓋に家紋、蓮華彫刻等も彫れるので、重量感もある。石塔のスペースが少なくても施工出来る。供物代、花立、蝋燭立てを一体化したため、コンパクトになり、花立、蝋燭立ての隙間に、ゴミ等がたまりにくく掃除が簡単に出来る。
【実施例】
【０００６】
本発明は、さらに納骨時の安全性と容易化を狙いとしている。そのために、下台に設けられた納骨室開口部両側に接する花立、蝋燭立てを一体として、正面に同一石材にて、取外式の納骨蓋を取付け、この納骨蓋を取外しする事により、納骨を容易に行える事が出来る。
【図面の簡単な説明】
【０００７】
【図１】墓石の外観図
【図２】墓石の正面図
【図３】蝋燭一体式花立、納骨蓋を外し納骨室が現れた外観図
【図４】納骨時の納骨蓋の開口部を外した外観図
【符号の説明】
【０００８】
1  竿石
2  中台
3  下台
4  芝台
5  線香立
6  花立
7  蝋燭立
8  納骨蓋
9  納骨室
【図１】
2008144388.tif 000003
【図２】
2008144388.tif 000004
【図３】
2008144388.tif 000005
【図４】
2008144388.tif 000006
(57)【要約】      （修正有）【課題】和装での食事の際に高価な着物を汚さないよう、ガードする和装エプロンを提供する。【解決手段】エプロン本体は胸当て部とその下の前垂れ部からなり、胸当て部は胸衿で胸部分をＶ字状に大きく広げ、Ｖゾーンを有し両側両端に首当て部を設け、先端部位に面ファスナーを取り付け首当て部の先端相互を着脱自在とする。首当て部から前身ごろの胴体部分にかけて、肩紐を設ける。又、前垂れ部両側を通常のエプロンより広く設け、前垂れ部の両側を横裾部とする。    本発明を使用する時は、両肩紐に腕を通し首当て部の面ファスナーにて首当て部を首に装着しエプロン本体を着用する。【選択図】図１
2008144333.tif 000002
【特許請求の範囲】
【請求項１】
前身頃に首当て部を設け先端に面ファスナーを取り付けて首当て部の先端相互を着脱自在とし、首当て部から胸当て部にかけての肩紐に腕を通して袖を固定し、前垂れ部の裾を腿に巻き込み座り、食事時の着物の汚れを防ぐための和装エプロン。
【発明の詳細な説明】
【技術分野】
【０００１】  本発明は和装での食事の際に高価な着物を汚さない様、ガードする和装エプロンである。
【背景技術】
【０００２】  従来、和装で食事をする際、食べこぼしなどでシミを作り高価な着物を汚し、シミ抜きや生洗いなどで高額な出費が掛かっていた。
そのために和装の汚れを防止する、胴体前部を覆う和装用エプロンが知られている（特許文献１）。
【特許文献１】実用新案登録第３１１８４４２号
【発明の開示】
【発明が解決しようとする課題】
【０００３】    そのために、次のような問題点があった。
和装での食事の際、袖が長く食事が取りずらかった。
又、和装は高価な物なので食事などで汚した際、シミ抜きや生洗いなどで高額な出費がかさんだ。
従来の和装エプロンがあるが、いずれも前垂れ部の幅が狭くよじれて和装胴体部からはずれている事が多かった。
本発明は以上の問題点を解決しようとする物である。
【課題を解決するための手段】
【０００４】  （イ）エプロン本体は胸当て部（１）とその下に前垂れ部（８）からなる。
（ロ）胸当て部（１）は胸衿（２）で胸部分をＶ字状に大きく広げ、Ｖゾーン（３）を有する。
（ハ）胸当て部（１）は両側両端に首当て部（４）を設け、先端部位に面ファスナー（５）を取り付け首当て部（４）の先端相互を着脱自在とする。
（ニ）首当て部（４）から前身ごろ（７）の胴体部分にかけて、肩紐（６）を設ける。
（ホ）前垂れ部（８）両側を通常のエプロンより広く設け、前垂れ部（８）の両側を横裾部（９）とする。
本発明を使用する時は、両肩紐（６）に腕を通し首当て部の面ファスナー（５）にて首当て部（４）を首に装着しエプロン本体を着用する。
又、着席の際、腿の側面に横裾（９）を巻き込み着席する事により前垂れ部（８）のずれを防ぐ。
【発明の効果】
【０００５】本発明は、和装の食事の際、肩から胴体部分までのタスキにより動きをスムーズにし、後衿に面ファスナーを取り付ける事により着脱しやすくする。
又、裾幅を広げる事により前身ごろ部分を固定しよじれを防ぎ、衿をＶ字型にし前頃だけのエプロンにする事により衿・帯などの着崩れを防止し和装の美観を損なわない。
【発明を実施するための最良の形態】
【０００６】以下、本発明の実施の形態を説明する。
（イ）エプロン本体は胸当て部（１）とその下に前垂れ部（８）からなる。
（ロ）胸当て部（１）は胸衿（２）で胸部分をＶ字状に大きく広げ、Ｖゾーン（３）を有する。
（ハ）胸当て部（１）は両側両端に首当て部（４）を設け、先端部位に面ファスナー（５）を取り付け首当て部（４）の先端相互を着脱自在とする。
（ニ）首当て部（４）から前身ごろ（７）の胴体部分にかけて、肩紐（６）を設ける。
（ホ）前垂れ部（８）両側を通常のエプロンより広く設け、前垂れ部（８）の両側を横裾部（９）とする。
本発明を使用する時は、両肩紐（６）に腕を通し首当て部の面ファスナー（５）にて首当て部（４）を首に装着しエプロン本体を着用する。
又、着席の際、腿の側面に横裾（９）を巻き込み着席する事により前垂れ部（８）のずれを防ぐ。
【図面の簡単な説明】
【０００７】
【図１】  本発明の正面図
【図２】  本発明の要部の背面図
【図３】  本発明の使用状態を示す斜視図
【図面の簡単な説明】
【０００８】    １  胸当て部
２  胸衿
３  Ｖゾーン部
４  首当て部
５  面ファスナー
６  型紐
７  前身ごろ
８  前垂れ部
９  横裾
【図１】
2008144333.tif 000003
【図２】
2008144333.tif 000004
【図３】
2008144333.tif 000005
(57)【要約】      （修正有）【課題】脳の血流を活性化させ脳血管障害を予防並びに毛根細胞を活性化して増毛をうながす。【解決手段】赤い可視光線と不可視光線の近赤外線を透過する帽子を提供する。【選択図】図１
2008144334.tif 000002
【特許請求の範囲】
【請求項１】
赤い可視光線と不可視光線の近赤外線を透過する帽子
【発明の詳細な説明】
【発明の詳細な説明】
赤い可視光線の赤色の外側に付属している不可視光線の近赤外線の浸透力で頭皮の皮下組織を透過することにより、脳の血流を活性化させ血液の流れは潤滑にして、毛根細胞を活性化させ発毛ならびに脳血管障害の予防することを特徴とした、赤い可視光線と不可視光線の近赤外線を透過する帽子。
【図面の簡単な説明】
【図１】赤い可視光線と不可視光線の近赤外線を透過する帽子を被り、脳の血流を活性化させ、脳血管障害を予防並びに毛根細胞を活性化させ増毛を促して、その原理がよく理解できたので、自然と笑顔が出て鼻歌を歌いながら仕事に精を出していることを示す斜視図。
【符号の説明】
（１）赤い可視光線と不可視光線の近赤外線を透過する帽子
【図１】
2008144334.tif 000003
(57)【要約】【課題】現状、鉄筋コンクリート造の壁の開口部の型枠はコンクリート固化後に該型枠を取り外そうとすれば相当数の釘等の止め金物を抜き取る必要があり、加えて該型枠の部材を転用しようとすればこれらを破損しない様丁寧な作業が求められるなど、この開口型枠の解体作業に要する手間は少なからぬものがありコストを押し上げている。【解決手段】上述、開口型枠を解体することなく固化コンクリートから取り外せる様、小口面の型枠の２面ないし４面に板状の弾力性部材を貼り付け、該型枠をそのまま抜き取ることのできる工法を用いる。【選択図】図３
2008144559.tif 000002
【特許請求の範囲】
【請求項１】
建築物の壁等比較的薄い躯体部の開口部に使用する型枠に関する工法であってこの型枠を解体することなく転用して使用できることを特徴とする。
即ち開口部小口面に使用する閉塞した木製型枠等の外周面にこれと同等の幅を有して断面が矩形の厚板状を成す樹脂製シートで覆われた発泡ウレタン又は発泡スチロールを接着せしめることにより、型枠の解体に際して開口型枠位置決め用の釘ないしはビスを抜くだけで該型枠全体を容易に固化コンクリートから抜き取ることができる即ち開口型枠の外周面の二面ないし全面に弾力性を持つ部材を接着せしめてコンクリート固化後の該型枠に自由度を持たせ、該型枠の取り外しと転用を容易にする工法。
【発明の詳細な説明】
【技術分野】
【０００１】  本発明は、鉄筋コンクリート造の建築物における壁等の比較的薄い躯体コンクリートに設ける開口部の小口の型枠の工法に関する。
【背景技術】
【０００２】  従前、壁等の開口部の小口の型枠は同鉛直面の型枠に開口部の形状に合わせてコンパネを木角材で補強した箱状の体を成している。これを壁型枠の一方に墨入れした所定の位置に釘ないしはビスで止めた後、反対側他方の型枠で挟み込んで固定している。
また開口部の形状が円形でよい場合には一般に塩化ビニール製のパイプを壁厚と同じ長さに切断し、これを壁の型枠で所定の位置に挟み込んでそのまま躯体コンクリートに埋設している。
【発明の開示】
【発明が解決しようとする課題】
【０００３】  通常、開口部の小口を塞ぐ型枠は上述のごとくの収まりになっているのでコンクリート固化後の解体に際しては、小口面に使用したコンパネの生コンの側圧による変形も手伝って容易には抜けないため箱状の体を成した型枠の釘ないしはビスを抜いて部材毎に解体しなければならず、この作業に多くの時間を労している。加えて同形同寸法の他の開口部に転用しようとすれば、一旦バラしたこの部材を再度箱状に組む時間を要するのみならず解体に際してしばしば破損する部材を補填しなければならないし、破損した部材は産業廃棄物として各階ごとに搬出処分されている。このような時間と材料の省力化及び産業廃棄物の低減による環境への配慮は極めて重要であると考える。
一方塩化ビニール製のパイプを使用し、これを躯体コンクリートに埋設する場合は火災等による過熱時に有毒ガスを発生する危険性があるので安価な工法ではあるが、少なからぬ疑問が残っているのも事実である。
【課題を解決するための手段】
【０００４】  本発明者は鋭意研究した結果、開口型枠をバラすことなく固化後の躯体コンクリートから容易に撤去し、これを転用することのできる工法を発明した。
上述のごとくの現開口型枠の不都合は結局コンパネの剛性に由来する。即ち固化後のコンクリートの剛性とこれに接する箱型型枠のコンパネの剛性ともに高いため、僅かな変形でも箱型をバラすことなく撤去するのは困難である。
したがって、箱型型枠をバラさずに固化後の躯体コンクリートから撤去するためには、箱型型枠の外面即ち打設に際して生コンに接する面に弾力性に富んだ部材を貼り、箱形型枠の外面の剛性を低減してやればよいと考えられる。【０００５】  以下、本発明を図に従い、詳しく説明する。
図１は本発明による工法の実施に際して使用する箱形型枠のイメージ図である。ここで符号１は開口部の小口面に充たるコンパネ、符号２はこのコンパネを補強する角材そして符号３はこの型枠の外面に貼られた前述のごときの弾力性を有する部材であって樹脂製のシートで覆われた発砲ウレタン又は発泡スチロール等で、前者はシートを除いて再使用が可能である。また後者は該型枠を固化コンクリートから外すに際して壊されるので再使用はできない。
図２は図１の断面図で弾力性部材に発泡ウレタンを使用した場合であって、ここで符号４は発泡ウレタン、符号５は発泡ウレタンを覆っている樹脂製のシートそして符号６は接着剤を塗る面である。
図３は上述の開口型枠を壁の型枠の所定の位置に取り付けてコンクリートを打設した状態における断面図である。ここで符号７は壁の型枠、符合８は開口型枠を壁の型枠に固定するための釘そして符号９は打設されたコンクリートである。
図４はコンクリートが固化して壁の型枠が解体されたときの断面図であり、開口型枠は符号１０のごときの方向ないしその正反対の方向に引き抜くことができる。
【発明の効果】
【０００６】  上述のごとくの本発明による工法を用いれば従前のように開口型枠を壊すこともなく加えて容易に抜型できるため型枠を転用できることによる材料費と作業時間の短縮による人件費の節約が可能となる極めて有用有益な工法である。
【実施例】
【０００７】  壁の厚さ２００ｍｍ、主筋（縦筋）及び配力筋（横筋）ともにＤ１３、同ピッチ１５０ｍｍのダブル配筋で主筋（縦筋）が内側に配された実建築現場において縦５００ｍｍ、横５００ｍｍの開口部に本発明による工法を実施した。この壁の生コン打設レベルは３ｍ、開口部の位置は床より１０ｃｍ上がりであったのでこの開口型枠に加わる圧力は最大７５４Ｈｐａと推定された。なお使用したコンクリートは所謂３０Ｎ（ニュートン）の普通コンクリートであった。
以上の条件で計１０箇所の開口部のうち５箇所の開口部で前述の発泡ウレタンを樹脂製シートで覆った弾力性部材を、また残りの５箇所では発泡スチロールをそれぞれ該開口型枠の２外面に接着せしめて実験を行った。厚さは前者が１００ｍｍ、後者は２０ｍｍとした。
その結果、コンクリート固化後の壁の両面の型枠を解体して上記２種類の弾力性部材の厚さを測定したところ発泡ウレタンを使用した方は概ね１０ｍｍ、また発泡スチロールを使用した方は概ね１５ｍｍになっていたが、いづれも型枠を破損することなく固化後のコンクリートから抜き取ることができ本工法の実用性が確認された。
【図面の簡単な説明】
【０００８】
【図１】  本発明による工法で使用する開口型枠のイメージ図
【図２】  図１の断面図
【図３】  開口型枠を壁の型枠に取り付けたときの断面図
【図４】  固化後のコンクリートから型枠を抜き取る途中の断面図
【符号の説明】
【０００９】  １，  コンパネ
２，  補強の角材
３，  弾力性を有する部材
４，  発泡ウレタン
５，  樹脂製のシート
６，  接着剤を塗る面
７，  壁の型枠
８，  釘
９，  コンクリート
１０，  型枠を抜く方向
【図１】
2008144559.tif 000003
【図２】
2008144559.tif 000004
【図３】
2008144559.tif 000005
【図４】
2008144559.tif 000006
(57)【要約】      （修正有）【課題】木造建築物の柱において、耐震性や耐荷重性を考慮し長い柱を入手しようとすると、価格や資源の量から困難になってきており、２本以上の柱同志を結合する方法が採用されている。結合法の主は柱に突起や柄を加工し組み立てるものであるが、柱が削られ強度が減少し加工手間も嵩む。【解決手段】金具により柱と柱を結合する。この金具は柱の長手方向に平行な４面に１つの稜を挟んで、その両側の２面に跨って穴に締付用ボルト及びナット５で締め付て結合する、柱には穴を通してアンカーボル及びナット６を用いて結合し、この工程で４つの稜に金具をひと巻きにする形で結合は出来上がる。この金具は主に鉄を素材にしており、結合方法、結合部、この金具の使用個数から結合する強さは向上する。【選択図】図８
2008144564.tif 000002
【特許請求の範囲】
【請求項１】
本発明の金具、以後この金具と表現します、は木造建築を構築するに際し柱と柱を結合する時に使用するもので柱とこの金具を結合する方法に狙いの１つが有ります。
柱とこの金具を結合させる方法は、柱の長手方向に平行な４面に、１つの稜を挟んでその両側の２面に跨って図中１の穴にボルト及びナットで締め付けて結合する。
この工程で４つの稜にそれぞれ取り付け柱をひと巻きする形にして結合は出来上がる。
以後、図中１の穴に使用するボルト及びナットを締め付けボルト及びナットと表現します。
柱とこの金具を図中２の穴を使って間に柱を挟み向かい合ったこの金具の両外側からボルト及びナットで締め付けて結合させる。
以後、図中２の穴で使うボルト及びナットをアンカーボルト及びナットと表現します。
この結合方法が狙いのもう１つです。
柱と柱を結合させる方法は締め付けボルト及びナットで相手方柱のこの金具同志締め付けて結合する。
この金具で柱同志を結合すれば、結合と同時に相手方柱とこの金具を結合できる構造を有するこの金具です。
金具の材質は用途により種々の金属を使用することが可能で、一般的には鉄を使用します。
【請求項２】
この金具は２本以上の柱を直角方向に結合する種類のものには、筋交いを取り付け可能な図中３の穴を装備している。
【発明の詳細な説明】
【技術分野】
【０００１】  木造建築において、柱同志の結合力を増大強化させて耐震性を増す方法に関するもの。
【背景技術】
【０００２】  現在木造建築構築に際し柱同志の結合は一方の柱を削って突起を作り、他方の
2008144564.tif 000003
【発明の開示】
【発明が解決しようとする課題】
【０００３】  地震や重力に対して耐えうる木造建築を構築しようとすると地面から屋根まで継ぎ目のない太い一本柱を沢山使用するのが望ましい、しかし価格や資源の数を考ると一般には困難である。【０００４】  柱が地面から屋根まで太くて一本物でなくとも又、比較的数が多くなくとも地震や重力に充分耐えうる低廉な柱が欲しい。【０００５】
2008144564.tif 000004
や突起を作るので柱が削られて細くなると同時に強度が減少する。又、費用も嵩む。
【発明が解決する為の手段】
【０００６】
2008144564.tif 000005
この金具は金属を素材にして作っている、主に鉄を素材として採用しているため、素材、結合方法、結合部この金具使用個数等から考えて、結合する強さは向上する。
【発明の効果】
【０００７】  この金具は柱と結合させる部分の長さを柱の太さの最大で２．５倍になるように設
2008144564.tif 000006
少する。
この金具はアンカーボルト及びナットを装着するように設計している為、結合する柱
2008144564.tif 000007
【０００８】
2008144564.tif 000008
に集中応力が発生し外部からの力が増幅されて切り欠き部に働き結合部は脆弱になってし
2008144564.tif 000009
強度は低下しない。、
【０００９】
2008144564.tif 000010
一の柱を使った時の結合部に働く力の違いを比較してみる。
2008144564.tif 000011
倍である。
2008144564.tif 000012
による結合はその２．５倍である、このことから、条件が同じの柱で、支点と力点間の距
2008144564.tif 000013
合に比較してこの金具によるは結合は結合部に働く力は小さく有利と考えられる。
【００１０】  この金具は柱の結合部の端末加工は結合本数により変化するが４５度の面取りを１面から最多でも４面加工するだけで済み、切り欠きは無いので集中応力は発生させず、加工も単純にして簡単しかも低廉。
【００１１】  この金具を使って１２本の柱を立方体状に結合して１ユニットとする、多くのユニットを前後、左右、上下に結合してゆくと、１つ１つのユニットが丈夫であるうえに、結合されたユニットのそれぞれ各々が相互に強度を補完し合って、一層堅固な１つの躯体即ち木造建築物が構築される。
【図面の簡単な説明】
【００１２】
【図１】    直線部結合用この金具短形の正面図
【図２】    直線部結合用この金具長形の正面図
【図３】    直角部結合用この金具短形の正面図
【図４】    直角部結合用この金具長形の正面図
【図５】    直角部結合用この金具筋交い穴装備形の正面図
【図６】    ３方向直角部結合用この金具筋交い穴装備形の正面図
【図７】    図面６の平面図
【図８】    ３方向結合の俯瞰図１例
【図９】    上下、左右、前後６方向の結合俯瞰図
【符号の説明】
【００１３】    ０−１      図面１の本体
０−２      図面２の本体
０−３      図面３の本体
０−４      図面４の本体
０−５      図面５の本体
０−６      図面６の本体
１        締め付けボルト及びナット用穴
２        アンカーボルト及びナット用穴
３        筋交い取り付け用穴
４        補強梁
５        締め付けボルト及びナット
６        アンカーボルト及びナット
７〜１５  この金具によって結合された柱
Ａ−Ａ    Ａ  Ａ断面矢視図
Ｂ−Ｂ    Ｂ  Ｂ断面矢視図
Ｃ−Ｃ    Ｃ  Ｃ断面矢視図
Ｄ−Ｄ    Ｄ  Ｄ断面矢視図
Ｅ−Ｅ    Ｅ  Ｅ断面矢視図
Ｆ−Ｆ    Ｆ  Ｆ断面矢視図
Ｇ−Ｇ    Ｇ  Ｇ断面矢視図
Ｈ−Ｈ    Ｈ  Ｈ断面矢視図
Ｉ−Ｉ    Ｉ  Ｉ断面矢視図
Ｊ−Ｊ    Ｊ  Ｊ断面矢視図
【図１】
2008144564.tif 000014
【図２】
2008144564.tif 000015
【図３】
2008144564.tif 000016
【図４】
2008144564.tif 000017
【図５】
2008144564.tif 000018
【図６】
2008144564.tif 000019
【図７】
2008144564.tif 000020
【図８】
2008144564.tif 000021
【図９】
2008144564.tif 000022
(57)【要約】【課題】  紙粉及びトナーの塊による印刷汚れが軽減できる現像装置を提供する。【解決手段】  現像部Ｂの上方開口部でマグネットロール６に対向した部分に平面でかつ平滑な部材３を配し、その平面でかつ平滑な部材３を振動させることにより、紙粉及びトナーの塊は大きく成長しないで落下させて、印刷汚れを軽減する。【選択図】  図１
2008292798.tif 000002
【特許請求の範囲】
【請求項１】
感光体と対向する現像ロールの上方開口部付近に略平面でかつ平滑な部材を配置し、その平滑な部材を振動させる振動部材を設けたことを特徴とする現像装置。
【発明の詳細な説明】
【技術分野】
【０００１】
本発明は、感光体の周りに、感光体に帯電を行う帯電器、帯電した感光体に露光を行い感光体上に静電潜像を形成する光学器、所定の電圧が印加された回転可能な現像ロールを有し、この現像ロール上に現像剤を搬送し、現像ロール上の現像剤が感光体に接触する現像部で感光体上に形成された静電潜像を現像する現像装置、現像された現像画像を印刷用紙に写す転写器を有する電子写真装置に係り、特にそれの現像装置に関するものである。
【背景技術】
【０００２】
従来の技術では、現像剤搬送方向の現像部より上流側の現像装置開口部付近で、現像ロールに対向する平面でかつ平滑な部材を現像ロールと同一極の電荷を印加することにより、現像装置開口部外への紙粉及びトナーの飛散防止を行っている。
【０００３】
従来の現像装置での紙粉及びトナーの蓄積の例を図２に示す。本例では、トナーと磁性粉末であるキャリアからなる２成分現像剤５を使用している。また、トナーのリサイクルを行っている装置においては、リサイクルされたトナーに混入した紙粉が不図示のトナー補給装置内に戻され、トナー補給装置から現像装置２内に混入していく。これらの混入した紙粉は、キャリアとの摩擦帯電によりトナーに所定の帯電量を付与するため撹拌部材７により十分に現像剤５が混合撹拌される過程において、現像剤中５に混入し、さらに現像装置２に回転可能な軸支され、内部に所定の磁気パターンを有する現像ロールであるマグネットロール６上に搬送され、ドクタープレート４により搬送量を規制され後にマグネットロール６上部に飛散し、C部付近で滞留する。
【０００４】
滞留した紙粉は、徐々に蓄積し紙粉及びトナーの塊１０となる。この紙粉及びトナーの塊１０は、ある一定以上の大きさになると、現像装置の振動でマグネットロール６上の現像剤５表面に落下する。落下した塊１０は、現像剤５中に撹拌されないまま現像部Ｂ部まで搬送され、現像部Ｂ部で感光体１上に付着する。感光体１に付着したこの塊１０は、不図示の転写器において、印刷用紙に転写され印刷汚れとなる。この印刷汚れを発生する前に、カバー１１のＣ部等を定期的に清掃するなど、メンテナンスが必要となる。特に再生紙等の紙粉が発生しやすい印刷用紙を使用した場合、清掃、メンテナンスが頻繁となり、ユーザの業務に支障を来すような不具合が生じていた。
【０００５】
なお、この種の技術に関しては例えば下記のような特許文献を挙げることができる。
【０００６】
【特許文献１】特開平１０−１２３８４２号公報
【特許文献２】特開平０３-０５９６８７号公報
【発明の開示】
【発明が解決しようとする課題】
【０００７】
紙粉及びトナーの塊１０は、ある一定以上の大きさになると、装置の振動でマグネットロール６上の現像剤５表面に落下する。落下した塊１０は、現像剤５中に撹拌されないまま現像部Ｂ部まで搬送され、現像部Ｂ部で感光体１上に付着する。感光体１に付着したこの塊１０は、不図示の転写器において、印刷用紙に転写され印刷汚れとなる。
【０００８】
本発明の目的は、このような従来技術の欠点を解消し、紙粉やトナーの塊によって印刷汚れが発生しない現像装置を提供することにある。
【課題を解決するための手段】
【０００９】
前記目的を達成するため本発明は、感光体と対向する現像ロールの上方開口部付近に略平面でかつ平滑な部材を配置し、その平滑な部材を振動させる振動部材を設けたことを特徴とするものである。
【発明の効果】
【００１０】
本発明は前述のような構成になっており、前記略平面でかつ平滑な部材を振動させることにより、前記現像ロール付近での紙粉及びトナーの塊の成長が抑制され、その塊に起因する印刷汚れが軽減できる。
【発明を実施するための最良の形態】
【００１１】
以下、本発明の実施例を図１と共に説明する。
【００１２】
回転しながら不図示の帯電器により帯電され、不図示の光学器により露光され静電潜像を形成する感光体１に対向して、感光体１の静電潜像に現像を行う現像装置２が配設されている。
【００１３】
現像装置２内でトナーとキャリアからなる２成分現像剤５は撹拌部材７により混合撹拌されて、互いに摩擦帯電し電荷を有する状態となる。現像剤５は、現像装置に回転可能に軸支され内部に所定の磁気パターンを有するマグネットロール６上に搬送され、磁気ブラシをマグネットロール６上に形成する。マグネットロール６上に搬送された現像剤５は、ドクタープレート４で所定の現像剤厚に規制された後、現像部Ｂに運ばれ感光体１上に形成された静電潜像に応じて現像を行い、再び現像装置２内部に戻り、混合撹拌される。この現像装置２の現像部Ｂ（図２参照）における上方開口部でマグネットロール６に対向した部分に平面でかつ平滑な導電性部材３を設け、この導電性部材３にマグネットロール６と同一の電圧を印加する。さらにこの導電性部材３の上面、すなわちマグネットロール６と反対側の面には振動部材１１が取り付けられている。
【００１４】
ここで現像剤５中のキャリアは、マグネットロール６に磁気力で吸着しており、トナーはキャリアとの摩擦帯電によりキャリアと逆電荷を有し、キャリアと静電的に結びついている。印刷用紙から発生する紙粉は、従来技術の現像装置の場合と同様にして、現像装置２内に混入される。混入した紙粉の一部は従来技術の場合と同様現像装置２内の現像剤５の表面に浮遊する。この浮遊した紙粉は、ドクタープレート４に規制された後にマグネットロール６の上方に飛散するが、現像部の上方開口部でマグネットロール６に対向した部分に平面でかつ平滑な例えばアルミニウム板などの導電性部材３を設け、この導電性部材３を振動部材１１によって振動させることにより、紙粉及びトナーの塊は大きく成長しないで落下するため、印刷汚れの原因となる大きな紙粉及びトナーの塊の発生がなくなる。それによって紙粉及びトナーによる印刷汚れが軽減できる。
【図面の簡単な説明】
【００１５】
【図１】本発明の実施例に係る現像装置の概略断面図である。
【図２】従来技術による不具合の一例を示す現像装置の概略断面図である。
【符号の説明】
【００１６】
１  感光体、２  現像装置、３  導電性部材、４  ドクターブレート、５  現像剤、６  マグネットロール、７  撹拌部材、８  スクレーパ、１０  紙粉及びトナーの塊、１１  振動部材、Ａ  現像装置開口部、Ｂ  現像部、Ｃ  紙粉の滞留部。
【図１】
2008292798.tif 000003
【図２】
2008292798.tif 000004
(57)【要約】【課題】従来の盾は、銃や爆発物の攻撃に対して防御力が弱く、相手を銃で射撃するには機能が弱かった。【解決手段】盾そのものを大型にすることで防御機能を強化し、盾の内側から相手を監視して、安全に銃を発射できる機能を備えた。【選択図】図１
2008292125.tif 000002
【特許請求の範囲】
【請求項１】
銃や爆発物で武装した犯人から警察官を守る機能を備え、更に相手を銃撃できる機能を持った盾（１）。
【請求項２】
（イ）盾の上部に屋根（２）を取り付ける。
（ロ）屋根の下に棚（３）を取り付け、防水シート（４）を格納する。
（ハ）盾が自立できるように左右の下部に車軸（７）と車輪（８）を取り付る。盾を移動する時は車軸に取り付けた踏み板（５）を片足で踏み、把手（６）を手前に引けば盾を前後左右に動かすことができる。
（ニ）監視用の覗き穴（９）とその外部上方に庇（１０）を取り付ける。
（ホ）銃を射撃する為の銃眼（１１）と銃の架台（１２）を取り付ける。
（ヘ）フック（１３）を盾の中央下部に取り付ける。
以上のごとく構成された盾。
【発明の詳細な説明】
【技術分野】
【０００１】この発明は警察官の安全を確保し、銃や爆発物を持った凶悪犯を制圧する為の盾に関するものである。
【背景技術】
【０００２】従来の盾は、主義・権利を主張する群衆を制圧するのが目的であり、警察官が銃撃を受けることなどは想定したものではなかった。
【発明が解決しようとする課題】
【０００３】本発明は、その欠点を除去して、警察官の安全を確保し、銃や爆発物を持った凶悪犯を制圧せんとするものである。
（１）従来の盾は縦寸法も横寸法も小さく、前進しようとすれば頭部又は足が露出状態になり攻撃の目標になる危険があった。
（２）また盾は、軽量のために爆発物を足元に投擲されれば防御の方法がなく、重大な被害を受ける危険があった。
（３）相手を銃撃しょうとすれば盾が邪魔になり的確な射撃姿勢がとれなかった。
【発明を実施するための最良の形態】
【０００４】本発明は、過去の「拳銃を持った犯人が人質をとって警察官と対峙した事件」を参考にして、従来の盾への考え方の欠陥を払拭して、盾が果たし得る防御と攻撃との機能を備えたものである。
【発明の形態と効果】
【０００５】（イ）盾の上部に屋根（２）を付けた。これはビルなどの高所からの射撃から防御するものである。
（ロ）防水シート用の棚（３）を付けた。これは雨天にシートを棚から吊り下げて警察官が雨に濡れるのを防ぐものである。
（ハ）銃や爆発物からの防御のために盾の重量が増加するので、盾を自由に動かすために踏み板（５）と把手（６）並びに車軸（７）と車輪（８）を取り付けた。
（ニ）盾に監視用の覗き穴（９）と庇（１０）を取り付けた。これは盾の内側から安全に監視し、庇は覗き穴を直射日光と吹きつける風雨から守るものである。
（ホ）警察官が盾の内側から安全に射撃できる銃眼（１１）と銃の架台（１２）である。
（ヘ）フック（１３）は負傷者や機材を乗せる台車の牽引綱を取り付けるためのもので、台車は後部の牽引綱を後方の人物が引き寄せる。
【図面の簡単な説明】
【図１】本発明の側面図である
【図２】本発明の背面図である
【符号の説明】
１は  盾（本体）        ６は  把手          １１は  銃眼
２は  屋根              ７は  車軸          １２は  銃の架台
３は  棚                ８は  車輪          １３は  フック
４は  防水シート        ９は  覗き穴
５は  踏み板          １０は  庇
【図１】
2008292125.tif 000003
【図２】
2008292125.tif 000004
【手続補正書】
【提出日】平成19年7月25日(2007.7.25)
【手続補正１】
【補正対象書類名】明細書
【補正対象項目名】全文
【補正方法】変更
【補正の内容】
【発明の詳細な説明】
【技術分野】
【０００１】この発明は警察官の安全を確保し、銃や爆発物を持った凶悪犯を制圧する為の盾に関するものである。
【背景技術】
【０００２】従来の盾は、主義・権利を主張する群衆を制圧するのが主目的であり、警察官が銃や爆発物で攻撃されて重大な被害を受けることは余り考えられていなかった。
【発明が解決しようとする課題】
【０００３】本発明は、その欠点を除去して、警察官の安全を確保し、銃や爆発物を持った凶悪犯を制圧せんとするものである。
（イ）従来の盾は縦寸法も横寸法も小さく、前進しようとすれば頭部又は足が露出状態になり攻撃の目標にされる危険があった。
（ロ）また盾は、軽量の為に爆発物を足元に投擲されれば防御の方法がなく、重大な被害を受ける危険があった。
【発明を実施するための最良の形態】
【０００４】本発明は、過去の「拳銃を持った犯人が人質をとって警察官と対峙した事件」を参考にして、従来の盾への考え方の欠陥を除去して、盾が果たし得る防御と攻撃との機能を備えたものである。
【発明の形態と効果】
【０００５】（イ）盾の上部に屋根（２）を取り付けた。これはビルなどの高所からの射撃から防御するものである。
（ロ）防水シート用の棚（３）を付けた。これはシートを棚から吊り下げて有毒な気体や液体を噴射された時に警察官を守り更に、雨天に雨に濡れるのを防ぐものである。
（ハ）銃や爆発物からの防御のために盾の重量が増加するので、盾を自由に動かす為に踏み板（５）と把手（６）並びに車軸（７）と車輪（８）を取り付けた。
（ニ）盾に監視用の覗き穴（９）と庇（１０）を取り付けた。これは盾の内側から安全に監視し、庇は覗き穴に直接差し込む日光と、吹付ける風雨から守るものである。
（ホ）警察官が盾の内側から安全に射撃できる銃眼（１１）と銃の架台（１２）である。
（ヘ）フック（１３）は負傷者や機材を載せる台車の牽引綱を取り付けるためのもので、台車は後部の人物が牽引綱を引き寄せる。
【図面の簡単な説明】
【０００６】
【図１】本発明の側面図である
【図２】本発明の背面図である
【符号の説明】
１は  盾（本体）      ６は  把手        １１は  銃眼
２は  屋根            ７は  車軸        １２は  銃の架台
３は  棚              ８は  車輪        １３は  フック
４は  防水シート      ９は  覗き穴
５は  踏み板        １０は  庇
(57)【要約】【課題】  正確な時間の睡眠をとることができる目覚まし装置を提供する。【解決手段】  計時手段であるタイマー２と、脳波測定手段である脳波計３と、音声発生手段であるスピーカー４と、制御手段であるコントローラー５とを備え、このコントローラー５の制御により、脳波計３で測定される使用者の脳波から睡眠状態を検出し、その時点から予め設定された時間を経過した後にスピーカー４から音を発生させて、使用者の目を覚ますように動作する。【選択図】図１
2008292439.tif 000002
【特許請求の範囲】
【請求項１】
使用者の脳波から睡眠状態を検出し、その時点から予め設定された時間を経過した後に音を発生させて使用者の目を覚ますように動作することを特徴とする目覚まし装置。
【発明の詳細な説明】
【技術分野】
【０００１】  本発明は、目覚まし装置に関する。
【背景技術】
【０００２】  現在、一般に普及している目覚まし時計は、就寝前に起床時刻を設定し、その時刻になったら音が鳴ることによって目を覚ますものである。
【発明の開示】
【発明が解決しようとする課題】
【０００３】  しかしながら、就寝後、実際に睡眠に入るまでには時間がかかるため、従来の目覚まし時計では、実質的な睡眠時間がわからず、正確な時間の睡眠をとることができなかった。人間の睡眠にはレム睡眠とノンレム睡眠があり、丁度よい時間の睡眠をとることができればその効果は大きいが、中途半端な時間で起こされると目覚めが悪く、その結果、体調などに影響することになる。
本発明は、このような問題点を解消することを目的としてなされたものである。
【課題を解決するための手段】
【０００４】  上記の目的を達成するために本発明は、使用者の脳波から睡眠状態を検出し、その時点から予め設定された時間を経過した後に音を発生させて使用者の目を覚ますように動作する目覚まし装置を提供するものである。
【発明の効果】
【０００５】  本発明の目覚まし装置は、使用者の脳波から睡眠状態が検出されてから、予め設定された時間を経過した後に、使用者の目を覚ますように動作するので、正確な時間の睡眠をとることができる。
【発明を実施するための最良の形態】
【０００６】  以下、図面を参照しながら本発明の実施例について詳細に説明する。
図１は本発明による目覚まし装置の実施例を示す構成図である。この目覚まし装置１は、計時手段であるタイマー２と、脳波測定手段である脳波計３と、音声発生手段であるスピーカー４と、制御手段であるコントローラー５とを備え、さらに表示部６及び操作部７を有して構成される。【０００７】  タイマー２は、時間をカウントする。脳波計３は、使用者の頭部に電極３ａを装着し、この電極３ａから使用者の脳波を測定するものである。スピーカー４は、ここから音声（ベル音、チャイム音、人声など）が発せられる。コントローラー５は、目覚まし装置１の全体の動作を制御するもので、マイクロプロセッサ（ＭＰＵ）により構成される。また表示部６は、時間をデジタル表示する部分であり、操作部７は、ボタン操作等によって時間の設定・修正等を行う部分である。【０００８】  次にこの目覚まし装置１の動作について説明する。先ず使用者は、就寝前に頭部に電極３ａを装着し、操作部７から所望の睡眠時間を設定入力する。そして就寝後、本発明の目覚まし装置１は、コントローラー５の制御によって次の動作が行われる。即ち、使用者の就寝後、コントローラー５は脳波計３で測定される使用者の脳波を監視し、使用者が睡眠状態（ノンレム睡眠）に入ると、その脳波から特徴的な睡眠脳波を検出することで睡眠状態に入ったと判断し、その時点から予め設定された時間を経過した後、スピーカー４から音声を発生させて、使用者の目を覚ますように動作する。【０００９】  このように本実施例の目覚まし装置は、使用者の脳波から睡眠状態が検出されてから、予め設定された時間を経過した後に、使用者の目を覚ますように動作するので、正確な時間の睡眠をとることが可能となる。この目覚まし装置は、休日など時間に余裕がある時に用いるとよい。
【図面の簡単な説明】
【００１０】
【図１】  本発明による目覚まし装置の実施例を示す構成図である。
【図１】
2008292439.tif 000003